(57)【要約】  封止可能なプラスチック容器と、封止手段と、美容ケア構成要素とを含む、美容ケア製品が提供され、該製品の容器は、環境と容器の内側との間の実質的な圧力差の下でのランダムな、制御されていない変形に対して抵抗性であるが、製造コストが手頃である、及び／又は消費者にとって魅力的である。該製品を含むキット、該製品を製造する方法、並びに皮膚及び／又は毛髪への適用のための該製品の使用方法もまた、提供される。
2016525987.tif 000002
【特許請求の範囲】
【請求項１】
美容ケア製品であって、
（ａ）ベースセクション（２）、本体セクション（３）、及びアパーチャ（５）を形成するネックセクション（４）を含む、封止可能なプラスチック容器（１）であって、前記セクション（２、３、４、５）が、内リザーバを区切る、封止可能なプラスチック容器と、
（ｂ）前記容器（１）の前記ネックセクション（４）上へ貼付される封止手段と、
（ｃ）前記容器（１）の前記リザーバ内に含有される美容ケア構成要素と、を含み、
前記リザーバが、保存時、前記リザーバの総体積の、約７０％以下の前記構成要素を含み、残りの体積が、気体で充填され、前記本体セクション（３）が、４つのパネル付きであり、折り畳み不可能な押潰可能な前パネル（７）、２つの対称的な折り畳み可能な側面パネル（９、９ａ）、及び折り畳み不可能な押潰可能な後パネル（８）を含み、前及び／又は後パネル（７、８）と前記側面パネル（９、９ａ）との間の平均厚さの比率が、少なくとも２：１である、製品。
【請求項２】
前記側面パネル（９、９ａ）が、環境と前記容器（１）の前記リザーバの内側との実質的な圧力差に応答して、一時的に変形可能である、請求項１に記載の製品。
【請求項３】
前記前及び／又は後パネル（７、８）が、約０．５０ｍｍ〜約３ｍｍの平均厚さを有する、請求項１又は２に記載の製品。
【請求項４】
前記側面パネル（９、９ａ）が、０．２５ｍｍ〜約１．５ｍｍの平均厚さを有する、請求項１〜３のいずれか一項に記載の製品。
【請求項５】
前記容器（１）が、前記本体セクション（３）を前記ネックセクション（４）に接合する、ショルダセクション（６）を更に含む、請求項１〜４のいずれか一項に記載の製品。
【請求項６】
前記リザーバが、約２０ｍｌ〜約１５００ｍｌの総体積を有する、請求項１〜５のいずれか一項に記載の製品。
【請求項７】
前記リザーバの前記残りの体積が、周囲空気で充填される、請求項１〜６のいずれか一項に記載の製品。
【請求項８】
前記本体セクション（３）が、伸長した中空の本体セクション（３）であり、前記パネルが、水平平面に対して実質的に非平面である、請求項１〜７のいずれか一項に記載の製品。
【請求項９】
前記パネルが、水平平面に対して実質的に非平面である、請求項１〜８のいずれか一項に記載の製品。
【請求項１０】
前記容器（１）が、約２０ｍｍ〜約１０５ｍｍの幅、約２０ｍｍ〜約８０ｍｍの長さ、及び約５０ｍｍ〜約３００ｍｍの高さを有する、請求項１〜９のいずれか一項に記載の製品。
【請求項１１】
前記封止手段が、前記容器（１）の前記ネックセクション（４）上へ解放可能に貼付される、請求項１〜１０のいずれか一項に記載の製品。
【請求項１２】
前記構成要素が、総構成要素の重量で、約３％〜約１２％の範囲の酸化剤の総量を含む、毛髪染色及び／又は毛髪脱色構成要素である、請求項１〜１１のいずれか一項に記載の製品。
【請求項１３】
美容ケアキットであって、
（ａ）ベースセクション（２）、本体セクション（３）、及びアパーチャを形成するネックセクション（４）を含む、封止可能なプラスチック容器（１）であって、前記セクションが、内リザーバを区切る、封止可能なプラスチック容器；前記容器（１）の前記ネックセクション（４）の上へ貼付される封止手段；前記容器（１）の前記リザーバ内に含有される美容ケア構成要素、を含む、美容ケア製品であって、前記リザーバが、保存時、前記リザーバの総体積の、約７０％以下の前記構成要素を含み、残りの体積が、気体で充填され、前記本体セクション（３）が、４つのパネル付きであり、折り畳み不可能な押潰可能な前パネル（７）、２つの対称的な折り畳み可能な側面パネル（９、９ａ）、及び折り畳み不可能な押潰可能な後パネル（８）を含み、前及び／又は後パネル（７、８）と前記側面パネル（９、９ａ）との間の平均厚さの比率が、少なくとも２：１である、美容ケア製品と、
（ｂ）パッケージ化された構成要素を含む製品、ツール、説明書シート、又はこれらの組み合わせからなる群から選択される、少なくとも１つの追加の製品と、を含む、キット。
【請求項１４】
前記パッケージ化された構成要素が、少なくとも１つの１次前駆体を含む色調剤構成要素、少なくとも１つの２次前駆体を含む構成要素、少なくとも１つのコンディショニング活性成分を含むコンディショニング構成要素から選択される、請求項１３に記載のキット。
【請求項１５】
毛髪を染色及び／又は脱色するための方法であって、
（ａ）ベースセクション（２）、本体セクション（３）、及びアパーチャを形成するネックセクション（４）を含む、封止可能なプラスチック容器（１）であって、前記セクションが、内リザーバを区切る、封止可能なプラスチック容器；前記容器（１）の前記ネックセクション（４）上へ貼付される封止手段；前記容器（１）の前記リザーバ内に含有される顕色剤構成要素、を含む、第１の製品を提供する工程であって、前記リザーバが、保存時、前記リザーバの総体積の、約７０％以下の前記構成要素を含み、残りの体積が、気体で充填され、前記本体セクション（３）が、４つのパネル付きであり、折り畳み不可能な押潰可能な前パネル（７）、２つの対称的な折り畳み可能な側面パネル（９、９ａ）、及び折り畳み不可能な押潰可能な後パネル（８）を含み、前及び／又は後パネル（７、８）と前記側面パネル（９、９ａ）との間の平均厚さの比率が、少なくとも２：１である、工程と、
（ｂ）少なくとも１つの１次前駆体を含む色調剤構成要素、少なくとも１つの２次前駆体を含む構成要素、又はこれらの組み合わせから選択される、パッケージ化された構成要素である、追加の製品を提供する工程と、
（ｃ）前記追加の製品を、前記第１の製品の前記容器（１）の前記リザーバの残りの体積の中に注入する工程と、
（ｄ）顕色剤構成要素を、前記追加の製品と均質的に混合する工程と、
（ｅ）前記混合された組成物を毛髪上へ適用する工程と、を含む、方法。
【発明の詳細な説明】
【技術分野】
【０００１】
本発明は、封止可能なプラスチック容器と、封止手段と、美容ケア構成要素と、を含む美容ケア製品、該製品を含むキット、該製品を製造する方法、並びに皮膚及び／又は毛髪上への適用のために該製品を使用する方法に関する。本発明は、製品を提供し、その容器は、環境と容器の内側との間の実質的な圧力差の下でのランダムな、制御されていない変形に対して抵抗性であるが、製造コストが手頃であり、及び／又は消費者に魅力的である。
【背景技術】
【０００２】
美容ケア組成物、特に、毛髪染色及び／若しくは脱色組成物、並びに／又は熱生成化粧品組成物は、それらが、互いに接触して配置される時に化学反応を起こす成分を含むため、反応性化学物質を伴う。例えば、酸化的毛髪染色組成物は、１次前駆体（発色剤とも呼ばれる）、２次前駆体（顕色剤とも呼ばれる）、及びアンモニア等の酸化剤を含む。共に混合される時、化学反応が生じ、それにより染料が形成される。
【０００３】
かかる化学反応は、毛髪上への適用前ではなく、適用時に求められる。化学反応が、製造時及び／又は保存時等、時期尚早に生じることを回避するために、これらの成分は、通常、１次前駆体を含む第１の構成要素（色調剤とも呼ばれる）、及び２次前駆体を含む第２の構成要素（顕色剤とも呼ばれる）等の異なる構成要素内に含まれる。これらの構成要素は、キットとして販売され、任意の好適なパッケージに個々にパッケージ化され得、これらのキットは、即座に、即ち、毛髪上への適用の直前に混合されるべき少なくとも２つの構成要素を含む。
【０００４】
プロの美容師は、通常、ボウル及びへらを使用して、異なる構成要素を混合している。毛髪を自分で染色する消費者等の訓練されていない使用者は、構成要素をボウル内で混合しようとせず、得られる混合物は均質性に欠ける可能性があるため、その後、不均等な毛髪染色につながり、また、かかるプロセスは達成するのが容易ではないため、混合が行われている領域、例えば、流し台、バスタブ、及び／又は床に染みを付けることにつながり得る。
【０００５】
かかる欠点を回避するために、毛髪染色及び／又は脱色キットには、通常、保存時に約７０％以下の構成要素を含む、少なくとも１つの押潰可能なプラスチック容器が提供される。他の構成要素のうちの少なくとも１つは、容器に注入され、その内容物と共に混合され、得られる毛髪染色及び／又は脱色組成物は、プラスチック容器を押潰することによって毛髪上へ適用される。
【０００６】
かかるタイプの容器は、使用時に好都合である一方、保存時に欠点を有することが示されている。実際、それらは、通常、過剰な力を使わずに手で容器に局所的な圧力を加える際に、押潰可能、即ち、変形可能であるために、比較的薄いパネルを含む。しかしながら、これらの容器は、約７０％以下の構成要素で充填されているため、実質的な残りの体積は、気体、例えば、製造する場所の周囲空気で充填されている。温度の変化及び／又は高度の変化等のある状況において、環境と容器の内側との間に著しい圧力差が生じ得る。かかる差は、しばしば、容器の制御されていない、ランダムな変形につながる。これは、容器が消費者にとって魅力的でない可能性があり、欠陥であるように見え得る、並びに／又はその内容物の漏れ及び／若しくはその破損を誘発することさえあり得るため、望ましくない。
【０００７】
異なる解決策が、これらの欠点を回避するために提供されている。例えば、より厚いラベル及び／又はより剛性のプラスチックで作製されるラベルを含む容器が提供されている。しかしながら、これらの容器は、押潰されるために増大した力を必要とし、これは、消費者による使用時には不都合である。圧力調整手段を有する容器もまた、提供されている。かかる手段は、通常、精緻であり、したがって、製造するのが高価である。また、それは、通常、それらを容器及び／又は封止手段上に貼付するための少なくとも１つの追加のプロセス工程を必要とする。それにより製造コストが上がり、毛髪染色及び／若しくは脱色製品並びに／又はキットの販売価格に悪影響を及ぼす。
【発明の概要】
【発明が解決しようとする課題】
【０００８】
したがって、環境と容器の内側との間の実質的な圧力差の下でのランダムな、制御されていない変形に対して抵抗性である、保存時に約７０％以下の毛髪染色及び／又は脱色構成要素を収容する押潰可能なプラスチック容器を含む、毛髪染色及び／又は脱色製品を提供することの望ましい必要性が存在する。また、製造コストが手頃な、制御されていない変形に対して抵抗性である、押潰可能なプラスチック容器を含む、毛髪染色及び／又は脱色製品を提供することの望ましい必要性も存在する。また、消費者に魅力的だが使用しやすい、制御されていない変形に対して抵抗性である、押潰可能なプラスチック容器を含む、毛髪染色及び／又は脱色製品を提供することの望ましい必要性も存在する。
【課題を解決するための手段】
【０００９】
一態様において、本発明は、美容ケア製品に関し、該美容ケア製品は、
（ａ）ベースセクション２、本体セクション３、及びアパーチャ５を形成するネックセクション４を含む、封止可能なプラスチック容器１であって、前記セクションが、内リザーバを区切る、封止可能なプラスチック容器と、
（ｂ）容器１のネックセクション４上に貼付される封止手段と、
（ｃ）容器１のリザーバ内に含有される美容ケア構成要素と、を含み、
リザーバが、保存時、リザーバの総体積の、約７０％以下の構成要素を含み、残りの体積が、気体で充填され、本体セクション３が、４つのパネル付きであり、折り畳み不可能な押潰可能な前パネル７、２つの対称的な折り畳み可能な側面パネル９及び９ａ、並びに折り畳み不可能な押潰可能な後パネル８を含み、前及び／又は後パネル７、８と、側面パネル９、９ａとの間の平均厚さの比率が、少なくとも２：１である。少なくとも１つの実施形態において、側面パネル９、９ａは、環境と容器１のリザーバの内側との間の実質的な圧力差に応答して、一時的に変形可能である。
【００１０】
第２の態様において、本発明は、前記製品と、少なくとも１つの追加の製品とを含む、美容ケアキットに関する。第３の態様において、本発明は、前記製品を製造するための方法に関する。第４の態様において、本発明は、毛髪及び／又は皮膚上への適用のために前記製品を使用する方法に関する。
【図面の簡単な説明】
【００１１】
【図１】前パネル、及び側面パネル（右）のうちの１つを含む、容器１の上からの斜視図である。
【図２】容器１の前面図である。
【図３】容器１の側面図（右）である。
【図４】容器１の底面図である。
【図５】容器１の上面図である。
【発明を実施するための形態】
【００１２】
本発明の全ての態様の全ての実施形態を含む、本文書において、以下の定義が、別途具体的に記載されない限り、適用される。全ての割合（％）は、総組成物の重量による。全ての比率は、重量比である。「部」、例えば、１部のＸ及び３部のＹの混合物への言及は、重量による比率である。「ＱＳ」又は「ＱＳＰ」は、１００％又は１００ｇに対する十分な量を意味する。＋／−は、標準偏差を示す。全ての範囲は包括的であり組み合わせ可能である。有効桁の数は、表示された量に対する限定を表すものでも、測定値の精度に対する限定を表すものでもない。すべての数量は、「約」という単語によって修飾されるものと理解される。全ての測定は、２３℃及び周囲条件で実施され、「周囲条件」とは、０．１ＭＰａ（１気圧（ａｔｍ））の圧力、及び５０％の相対湿度を意味する。「相対湿度」は、同じ温度及び圧力における飽和水分レベルと比較した、空気の水分含量の比率（パーセントとして記載される）を指す。相対湿度は、湿度計、具体的には、ＶＷＲ（登録商標）Ｉｎｔｅｒｎａｔｉｏｎａｌからのプローブ湿度計で測定することができる。本明細書において、「ｍｉｎ」は、「分」を意味する。本明細書において、「ｍｏｌ」はモルを意味する。本明細書において、数の後の「ｇ」は、「グラム（「gram」又は「grams」）」を意味する。全ての重量は、それらが列記される成分に関連する際、活性成分のレベルに基づき、商業的に入手可能な材料に含まれ得る担体又は副生成物を含まない。本明細書において、「含む（comprising）」は、他の工程及び他の成分を追加することができることを意味する。「含む（comprising）」は、「〜からなる」及び「本質的に〜からなる」という用語を包含する。本発明の組成物、製剤、方法、使用、キット、及びプロセスは、本明細書で説明される本発明の要素及び制約、並びに本明細書で説明される追加若しくは任意の成分、構成要素、工程、又は制約のいずれをも含み、それらからなり、本質的にそれらからなることができる。本明細書で説明される実施形態及び態様は、不相容性が記載されない限り、明白に組み合わせて例示されていないにもかかわらず、他の実施形態及び／又は態様の要素、特性、又は構成要素を含むか、又はこれらと組み合わせ可能であり得る。「少なくとも１つの実施形態において」は、本発明の１つ又は複数の実施形態が、その後説明される特性を有することを意味する。
【００１３】
「分子量」又は「Ｍ．Ｗｔ．」又は「ＭＷ」及び文法的な同等物は、数平均分子量を意味する。
【００１４】
「水溶性」は、溶解される時、２５℃及び０．１ＭＰａ（１ａｔｍ）の圧力において、１リットルの脱イオン水中０．１ｇの材料の濃度で、裸眼で透明な溶液を形成する、水に十分に可溶性である、任意の材料を指す。「水不溶性」という用語は、「水溶性」ではない任意の材料を指す。
【００１５】
「実質的に含まない（「substantially free from」又は「substantially free of」）」は、組成物若しくは製剤の総重量で、約１％未満、又は０．８％未満、又は０．５％未満、又は０．３％未満、又は約０％を意味する。
【００１６】
「毛髪」は、頭髪、顔の毛、及び体毛を含む、哺乳類ケラチン繊維を意味する。それは、依然として生体に付着しているかかる毛髪、並びに、毛髪見本等の生体から除去された毛髪、及び人形／マネキン上の毛髪も含む。実施形態において、「毛髪」は、ヒトの毛髪を意味する。「毛幹」又は「毛髪繊維」は、個々の１本１本の毛髪を意味し、用語「毛髪」と互換的に使用され得る。
【００１７】
「美容的に許容可能な」とは、説明される組成物、製剤、又は構成要素が、過度の毒性、不適応性、不安定性、及びアレルギー反応性等を伴わずに、ヒトのケラチン組織と接触させて使用するために好適であることを意味する。本明細書で説明され、ケラチン組織に直接適用されるという用途を有する全ての組成物及び製剤は、美容的に許容可能であるものに制限される。
【００１８】
「誘導体」としては、所定の化合物のアミド誘導体、エーテル誘導体、エステル誘導体、アミノ誘導体、カルボキシル誘導体、アセチル誘導体、酸誘導体、塩誘導体及び／又はアルコール誘導体が挙げられるが、これらに限定されない。少なくとも１つの実施形態において、「その誘導体」は、アミド、エーテル、エステル、アミノ、カルボキシル、アセチル、酸、塩、及びアルコールの誘導体を意味する。
【００１９】
「モノマー」は、反応開始剤の存在下での重合、又は、例えば、重縮合、重付加、アニオン性若しくはカチオン性重合といった巨大分子を作る任意の好適な反応を行うことができる分離性の重合されていない化学部分を意味する。「単位」は、既に重合された、即ち、ポリマーの部分であるモノマーを意味する。
【００２０】
「ポリマー」は、２つ以上のモノマーの重合から形成される化学物質を意味する。「ポリマー」という用語は、モノマーの重合、並びに天然ポリマーによって作製される全ての材料を含むものとする。１種のモノマーのみから作製されるポリマーは、ホモポリマーと呼ばれる。本明細書において、ポリマーは、少なくとも２つのモノマーを含む。２種以上の異なる種類のモノマーから作製されるポリマーは、コポリマーと呼ばれる。異なるモノマーの分布は、ランダム、交互、又はブロック状（すなわち、ブロックコポリマー）であることができる。本明細書で使用される「ポリマー」という用語は、ホモポリマー及びコポリマーを含む、任意の種類のポリマーを包含する。
【００２１】
「キット」は、複数の構成要素を含むパッケージを意味する。「キット」は、「パーツのキット（kit-of-parts）」を指し得る。キットの例は、例えば、第１の組成物、及び別個にパッケージ化された第２の組成物、並びに必要に応じて適用説明書である。
【００２２】
本明細書で使用される際、本発明に従う容器を説明する時、「底部」及び「上部」という表現は、容器のベースセクション（底部セクションとも呼ばれる）が、製品の底部に向かって配向され、ネックセクション及び封止手段が、製品の上部に向かって配向されるように、製品が表面上へ配置される時の、製品の配向に対するものである。同様に、「垂直／垂直に」及び「水平／水平に」という表現は、表面上へ配置される時の製品の配向に対するものであり、該表面は水平である。
【００２３】
本明細書で使用される際、容器の本体セクションを形成するパネルを説明する時、「前」、「後」、及び「側面」は、前ラベルが取設されるパネルに対するものであり、該前ラベルは、スーパーマーケットの棚上にある時に、消費者によって最初に見られるべき製品に関する情報（商標名、ロゴ、スローガン、イラスト及び／又は写真、容器サイズの情報等を含むが、これらに限定されない）を表示するラベルである。
【００２４】
本明細書で使用される際（As a used herein）、「美容ケア製品」は、毛髪、皮膚、眉、睫毛、唇、及び爪を含む、ケラチン基質上への適用に好適である、任意の製品を意味する。美容ケア製品としては、パーソナルケア製品、メークアップ製品、シェービングケア製品、及び毛髪ケア製品が挙げられ得る。パーソナルケア製品としては、パーソナル及び／又はフェイシャルクレンジング製品が挙げられ得る。メークアップ製品としては、マスカラ、ファンデーション、及びエナメルが挙げられ得る。毛髪ケア製品としては、シャンプー、コンディショニング組成物、スタイリング組成物、及び毛髪染色組成物が挙げられ得る。
【００２５】
第１の態様において、本発明は、封止可能なプラスチック容器１を含む製品に関し、該容器１は、ベースセクション２、本体セクション３、及びネックセクション４を含む。ベースセクション２は、容器１を、表面、例えば、スーパーマーケットの棚及び／又はバスタブ若しくは流し台のカウンターに配置することを可能にする。ネックセクション４は、液体を容器１の中へ、及び／又は容器１から外へ注ぐために好適なアパーチャ５を形成する。容器１はまた、本体セクション３をネックセクション４に接合する、ショルダセクション６を含有することができる。
【００２６】
ベースセクション２、本体セクション３、ネックセクション４、及び任意にショルダセクション６は、内リザーバ（図示せず）を区切る。このリザーバは、約２０ｍｌ〜約１５００ｍｌ、代替的に約５０ｍｌ〜約１０００ｍｌ、代替的に約７５ｍｌ〜約５００ｍｌ、代替的に約１００ｍｌ〜約２５０ｍｌ、代替的に約１６０ｍｌ〜約１７０ｍｌの総体積を含む。
【００２７】
美容ケア構成要素（図示せず）、具体的には、毛髪染色及び／又は脱色構成要素は、本明細書に以降で説明されるように、リザーバ内に収容される。リザーバは、保存時、リザーバの総体積の約７０％以下、約５０％以下、代替的に約３０％〜約５０％の該構成要素を含む。別の実施形態において、リザーバは、保存時、リザーバの総体積の約３０％未満及び／又は少なくとも約５％の該構成要素を含む。更に別の実施形態において、リザーバ（容器）は、保存時に、いかなる構成要素も実質的に含まない。
【００２８】
充填及び封止後、内リザーバは、前記構成要素で完全には充填されないため、リザーバは、残りの体積が残される。好ましい実施形態において、該残りの体積は、気体で充填される。気体は、酸素、窒素、二酸化炭素、周囲空気、及びこれらの混合物から選択され得、代替的に、気体は周囲空気であり、代替的に、気体は約７０ｋＰａ〜約１０１ｋＰａの圧力の周囲空気であり、代替的に、気体は、約７０ｋＰａ〜約１０１ｋＰａの圧力及び約１５℃〜約４５℃の温度の周囲空気である。少なくとも１つの実施形態において、リザーバの残りの体積は、周囲空気で充填される。本明細書で使用される際、「周囲空気」は、製品の製造時、具体的には、容器１が構成要素で充填され、その後封止される時の周囲空気を意味する。いかなる理論にも束縛されることを望むことなく、容器１のリザーバは、製造及び／又は保存時、ある圧力及び温度の気体で充填される残りの体積を含むため、この容器１は、環境とリザーバの残りの体積との間の実質的な圧力差が発生する時はいつでも、伸長等の変形力及び／又は折り畳み可能な力にさらされ得ると考えられる。本明細書で使用される際、「実質的な圧力差」は、環境とリザーバの残りの体積との間の約０．０１ｋＰａ〜約３０ｋＰａの圧力の相違を意味する。かかる圧力差は、リザーバの内側の温度の変化及び／又は、例えば、高度の変化による環境における大気圧の変化によって誘発され得る。
【００２９】
本体セクション３は、４つのパネル付きである。本体セクション３は、前パネル７、後パネル８、並びに２つの側面パネル９及び９ａを含む。これらのパネルは、実質的に垂直である。
【００３０】
前及び後パネル７、８は、折り畳み不可能かつ押潰可能なパネルである。本明細書で使用される際、「折り畳み不可能な」は、容器１が実質的な圧力差にさらされる時、これらのパネルが受動的変形を起こしやすくないことを意味する。本明細書で使用される際、「押潰可能な」は、これらパネルが、実質的な力、例えば、これらパネル上へ局所的にかかる少なくとも０．１１３ジュール（１ｉｎ−ｌｂ）、代替的に約０．１１３ジュール（１ｉｎ−ｌｂ）〜約４．５１９ジュール（４０ｉｎ−ｌｂ）、代替的に約１．１３０ジュール（１０ｉｎ−ｌｂ）〜約３．３９０ジュール（３０ｉｎ−ｌｂ）の力、好ましくは消費者の手によってかかる力にさらされる時、能動的変形を起こしやすいことを意味する。前及び後パネル７、８のうちの少なくとも１つは、機能的なパネルであってもよく、代替的に、前パネル７は、機能的なパネルであってもよいか、又はパネル７及び８の両方が、機能的なパネルであってもよい。本明細書で使用される際、「機能的」は、パネルが、商標名、ロゴ、スローガン、イラスト及び／又は写真、容器サイズ、成分リスト、及び／又は規制要件等の情報等を含むが、これらに限定されない種々の情報を含むラベルのための支持体であることを意味する。前及び／又は後パネル７／８は、約０．５０ｍｍ〜約３ｍｍ、代替的に約０．５０ｍｍ〜約１．５ｍｍ、代替的に約０．５５ｍｍ〜約１．１５ｍｍの平均厚さを有し得る。前及び後パネル７、８は、実質的に同じ平均厚さ、代替的に、約＋／−１０％、代替的に約＋／−５％、代替的に約＋／−１％異なる平均厚さを有し得る。
【００３１】
厚さは、キャリパデバイスを使用して測定することができる。平均厚さは、パネルの領域にわたってほぼ等しく分散した少なくとも１０の測定値を得ること、及び次いで、ミリメートル、即ち、ｍｍで測定される、中間厚さ、即ち、平均厚さを計算することによって測定されてもよい。少なくとも１つの実施形態において、平均厚さは、約＋／−１０％未満、又は約＋／−５％未満、又は約＋／−１％未満の標準偏差を有する。
【００３２】
側面パネル９及び９ａは、折り畳み可能なパネルである。本明細書で使用される際、「折り畳み可能な」は、容器が実質的な圧力差にさらされる時、これらのパネルが、受動的変形を起こしやすいことを意味する。少なくとも１つの実施形態において、「実質的な圧力差」は、ｋＰａで測定される少なくとも２％、又は少なくとも５％、又は少なくとも１０％、又は少なくとも２０％の圧力差を意味する。好ましくは、側面パネル９及び９ａは、実質的にそれらの表面全体にわたり折り畳み可能である。好ましい実施形態において、これらのパネルは、押潰可能である／押潰されることが意図される。これらのパネルは、非機能的なパネルであってもよく、即ち、これらのパネルは、いずれのラベルの支持体でなくてもよい。側面パネル９及び９ａは、約０．２５ｍｍ〜約１．５ｍｍ、代替的に約０．２５ｍｍ〜約０．５５ｍｍの平均厚さを有し得る。側面パネル９及び９ａの両方は、実質的に同じ平均厚さ、代替的に、約＋／−１０％、代替的に約＋／−５％、代替的に約＋／−１％異なる平均厚さを有し得る。
【００３３】
前及び後ラベル７、８、並びに側面ラベル９、９ａが、通常の使用条件の下で、折り畳み可能性及び押潰可能性に相対する異なる特性を呈するために、具体的には、折り畳み不可能で押潰可能な前及び後パネル７、８、並びに折り畳み可能な側面パネル９、９ａを有する容器を得るために、本発明者らは、これらのパネルが、平均厚さの特定の差を呈するべきであることを見出した。前及び／又は後パネル７、８と、側面パネル９、９ａとの間の平均厚さの比率は、少なくとも約２：１、代替的に約２：１〜約５：１、代替的に約２：１〜約３：１、代替的に約２：１〜約２．５：１である。平均厚さは、ミリメートル、即ち、ｍｍで測定され、このため、平均厚さの比率はｍｍを指す。
【００３４】
少なくとも１つの実施形態において、本体セクション３は、伸長した中空の本体セクションである。好ましい実施形態において、本体セクション３は、非円筒形、非長方形、及び非正方形の断面形状（半分の高さにおける水平断面）を有する。本体セクション３は、全体的な楕円形の断面形状を有し得、側面パネル９、９ａと前及び／又は後パネル７、８との間のパネル縁部における接線が、９０°超及び１８０°未満、代替的に約１００°〜約１５０°、代替的に約１１０°〜約１４０°の角度を形成する。
【００３５】
少なくとも１つの実施形態において、前及び／又は後パネル７、８は、水平平面に対して実質的に非平面であり、好ましくは、それらは、水平平面に対して実質的に凸形状である。前及び／又は後パネル７、８は、約１０ｍｍ〜約４０ｍｍ、代替的に約１０ｍｍ〜約２０ｍｍ未満、代替的に約２０ｍｍ〜約３０ｍｍ未満、代替的に約３０ｍｍ〜約４０ｍｍの半径を有し得る。前及び／又は後パネル７、８はまた、垂直平面に対して実質的に平面であり得る。
【００３６】
少なくとも１つの実施形態において、側面パネル９、９ａは、水平平面に対して実質的に非平面であり、好ましくは、それらは、水平平面に対して実質的に凹形状である。側面パネル９、９ａは、約１０ｍｍ〜約５５ｍｍ、代替的に約１０ｍｍ〜約２０ｍｍ未満、代替的に約２０ｍｍ〜約３０ｍｍ未満、代替的に約４０ｍｍ〜約５５ｍｍ未満の半径を有し得る。側面パネル９、９ａはまた、垂直平面に対して実質的に平面であり得る。
【００３７】
少なくとも１つの実施形態において、封止可能なプラスチック容器１は、アパーチャの中心及び底部ベースセクション２の中心によって形成される軸に対して、実質的に対称的な形状を有する。
【００３８】
容器１は、約２０ｍｍ〜約１０５ｍｍ、代替的に約２０ｍｍ〜約３０ｍｍ、代替的に約４０ｍｍ〜約５０ｍｍ、代替的に約９０ｍｍ〜約１０５ｍｍ未満の幅を有し得る。少なくとも１つの実施形態において、幅は、平均幅である。平均幅は、ほぼ等しく分散した少なくとも１０の測定値を得ること、及び次いで、ミリメートル、即ち、ｍｍで測定される、中間幅、即ち、平均幅を計算することによって測定されてもよい。少なくとも１つの実施形態において、平均幅は、約＋／−１０％未満、又は約＋／−５％未満、又は約＋／−１％未満の標準偏差を有する。
【００３９】
容器１はまた、約２０ｍｍ〜８０ｍｍ、代替的に約２０ｍｍ〜約３０ｍｍ、代替的に約４０ｍｍ〜約５０ｍｍ、代替的に約７０ｍｍ〜約８０ｍｍの長さを有し得る。少なくとも１つの実施形態において、長さは、平均長さである。平均長さは、ほぼ等しく分散した少なくとも１０の測定値を得ること、及び次いで、ミリメートル、即ち、ｍｍで測定される、中間長さ、即ち、平均長さを計算することによって測定されてもよい。少なくとも１つの実施形態において、平均長さは、約＋／−１０％未満、又は約＋／−５％未満、又は約＋／−１％未満の標準偏差を有する。
【００４０】
容器１はまた、約５０ｍｍ〜約３００ｍｍ、代替的に約５０ｍｍ〜約７０ｍｍ、代替的に約１００ｍｍ〜約１２０ｍｍ、代替的に約２５０ｍｍ〜約２７０ｍｍの高さを有し得、高さは、封止手段を除き、ベースセクション２の底部からネックセクション４の上部まで測定される。少なくとも１つの実施形態において、高さは、平均高さである。平均高さは、ほぼ等しく分散した少なくとも１０の測定値を得ること、及び次いで、ミリメートル、即ち、ｍｍで測定される、中間高さ、即ち、平均高さを計算することによって測定されてもよい。少なくとも１つの実施形態において、平均高さは、約＋／−１０％未満、又は約＋／−５％未満、又は約＋／−１％未満の標準偏差を有する。
【００４１】
容器１は、プラスチック、代替的に化粧品用プラスチックで作製される。ベースセクション２、本体セクション３、ネックセクション４、及び任意にショルダセクション６は、同じプラスチックで作製されてもよい。容器１は、ポリエチレンテレフタレート（ＰＥＴ）、ポリエチレン（ＰＥ）、高密度ポリエチレン（ＨＤＰＥ）、低密度ポリエチレン（ＬＤＰＥ）、ポリ塩化ビニル（ＰＶＣ）、ポリ塩化ビニリデン（ＰＶＤＣ）、ポリプロピレン（ＰＰ）、ポリスチレン（ＰＳ）、高衝撃ポリスチレン（ＨＩＰＳ）、ポリアミド（ＰＡ）（ナイロン）、アクリロニトリルブタジエンスチレン（ＡＢＳ）、ポリエチレン／アクリロニトリルブタジエンスチレン（ＰＥ／ＡＢＳ）、ポリカーボネート（ＰＣ）、ポリカーボネート／アクリロニトリルブタジエンスチレン（ＰＣ／ＡＢＳ）、ポリウレタン（ＰＵ）、アクリロニトリルブタジエンスチレン（ＡＢＳ）、セルロイド、酢酸セルロース、エチレン酢酸ビニル（ＥＶＡ）、エチレンビニルアルコール（ＥＶＡＬ）、液晶ポリマー（ＬＣＰ）、ポリアセタール（ＰＯＭ又はアセタール）、ポリアクリル酸塩（アクリル）、ポリアクリロニトリル（ＰＡＮ又はアクリロニトリル）、ポリアミドイミド（ＰＡＩ）、ポリアリールエーテルケトン（ＰＡＥＫ又はケトン）、ポリブタジエン（ＰＢＤ）、ポリブチレン（ＰＢ）、ポリブチレンテレフタレート（ＰＢＴ）、ポリシクロへキシレンジメチレンテレフタレート（ＰＣＴ）、ポリヒドロキシアルカノエート（ＰＨＡ）、ポリケトン（ＰＫ）、ポリエステル、低密度（ＬＤＰＥ）及び高密度（ＨＤＰＥ）型を含むポリエチレン（ＰＥ）、ポリエーテルエーテルケトン（ＰＥＥＫ）、ポリエーテルイミド（ＰＥＩ）、ポリエーテルスルホン（ＰＥＳ）、ポリエチレンクロリネート（polyethylenechlorinate：ＰＥＣ）、ポリイミド（ＰＩ）、ポリ乳酸（ＰＬＡ）、ポリメチルペンテン（ＰＭＰ）、ポリフェニレンオキシド（ＰＰＯ）、ポリフェニレンスルフィド（ＰＰＳ）、ポリフタルアミド（ＰＰＡ）、ポリスルホン（ＰＳＵ）、及びこれらの混合物からなる群から選択されるプラスチックで作製され得る。容器１は、代替的にポリオレフィン類から選択される、代替的に高密度ポリエチレン（ＨＤＰＥ）、低密度ポリエチレン（ＬＤＰＥ）、ポリプロピレン（ＰＰ）、ポリエチレンテレフタレート（ＰＥＴ）、これらの誘導体、及びこれらの混合物からからなる群から選択される、代替的に高密度ポリエチレン（ＨＤＰＥ）であるプラスチックから選択されるプラスチックで作製され得る。商業的に入手可能なＨＤＰＥは、商標名ＡＳ５５−００３の下でＥｘｘｏｎによって提供される。好ましい実施形態において、容器１は、高密度ポリエチレンで作製され、ポリエチレンテトラフタレート（polyethylene tetraphtalate）を実質的に含まない。少なくとも１つの実施形態において、容器１は、少なくとも約８０％、又は少なくとも約８５％、又は少なくとも約９０％、又は少なくとも約９５％のポリエチレンを含む。
【００４２】
製品は、封止手段（図面には図示せず）を含む。少なくとも１つの実施形態において、封止手段は、保存時に容器１を不浸透的に封止するために好適である。任意の好適な封止手段が使用されてもよい。封止手段は、蓋（lid）、キャップ、蓋（operculum）、又はノズルであってもよい。封止手段は、容器１のネックセクション４上に永久的に又は解放可能に貼付されてもよい。好ましくは、封止手段は、容器１のネックセクション４上に解放可能に貼付される。
【００４３】
製品は、容器１上に貼付されるべき少なくとも１つのラベル（図面には図示せず）、代替的に２つのラベルを更に含んでもよい。ラベルは、前ラベル及び／又は後ラベルから選択されてもよい。前ラベルは、通常、審美的で魅力的なラベルであり、例えば、商標名、ロゴ、スローガン、イラスト及び／又は写真を示す。後ラベルは、通常、情報であり、例えば、容器サイズ、ＩＮＣＩリスト、規制要件、並びにどのように製品及び／又は構成要素を使用するかに関する説明等の情報を示す。好ましい実施形態において、前ラベルは、前パネル７に貼付される、及び／又は後ラベルは、後パネル８に貼付される。前及び／又は後パネルは、糊付け等の任意の好適な手段を使用して、それらのそれぞれのパネル７、８上へ貼付されてもよい。
【００４４】
製品は、美容ケア構成要素（図面には図示せず）を含む。好ましくは、製品は、毛髪染色及び／又は脱色構成要素を含む。構成要素は、酸化剤源を含んでもよい。当該技術分野において既知の任意の酸化剤が使用されてもよい。好ましい酸化剤は、水溶性過酸素（peroxygen）酸化剤である。本明細書で使用される際、「水溶性」は、標準条件において、少なくとも約０．１ｇ、代替的に約１ｇ、代替的に約１０ｇの酸化剤を、２５℃の１リットルの脱イオン水に溶解することができることを意味する。構成要素は、総構成要素の重量で約３％〜約１２％の範囲の総量の酸化剤を含み得る。好適な水溶性酸化剤としては、水溶液中で過酸化水素をもたらすことが可能な無機過酸素（peroxygen）材料；代替的に過酸化水素、無機アルカリ金属過酸化物、有機過酸化物、無機過水和塩脱色化合物、及びこれらの混合物；代替的に過酸化水素、過炭酸塩、過硫酸塩、及びこれらの混合物が挙げられるが、これらに限定されない。少なくとも１つの実施形態において、美容ケア構成要素は、過酸化水素（Ｈ2Ｏ2）を含む。美容ケア構成要素は、顕色剤組成物であってもよい。顕色剤組成物は、任意の商業的製品、例えば、水中油型エマルションを含む、任意の所望の製剤シャーシに基づいてもよい。少なくとも１つの実施形態において、顕色剤組成物は、顕色剤組成物の総重量に対して、約６％〜約９％のＨ2Ｏ2を含む。少なくとも１つの実施形態において、構成要素は、総構成要素の重量で約３％〜約１２％の範囲の総量の酸化剤を含む、毛髪染色及び／又は毛髪脱色構成要素である。商業的な例は、それぞれ約６％及び約９％のＨ2Ｏを有するＷｅｌｌｏｘｏｎ（登録商標）Ｅｍｕｌｓｉｏｎであり、Ｗｅｌｌａによって市販され、以下をＩＮＣＩ成分として含む：水、Ｈ2Ｏ2、セテアリルアルコール、セテアレスー２５、サリチル酸、リン酸、リン酸ナトリウム、エチドロン酸。
【００４５】
第２の態様において、本発明は、美容ケアキット、好ましくは、毛髪染色及び／又は脱色キットに関する。キットは、本明細書で以前に説明されるような美容ケア製品を含む。キットはまた、少なくとも追加の製品、代替的に約２〜約４つの追加の製品、代替的に２又は３つの追加の製品を含む。追加の製品は、パッケージ化された構成要素を含む製品、ツール、説明書シート、又はこれらの組み合わせからなる群から選択されてもよい。パッケージ化された構成要素は、少なくとも１つの１次前駆体を含む色調剤構成要素、少なくとも２次前駆体を含む構成要素、少なくとも１つのコンディショニング活性成分を含むコンディショニング構成要素から選択されてもよい。該構成要素は、任意の好適なパッケージに、代替的に、任意に封止可能な手段で封止された、封止可能な容器に、又は小袋にパッケージ化されてもよい。該ツールは、毛髪を染色及び／又は脱色するのに好適な任意のツールから、代替的に櫛、へら、ブラシ、構成要素を逃す（missing）ためのボウルから選択されてもよい。説明書シートは、どのように前記キットで毛髪を染色及び／又は脱色するかに関する任意の好適な情報、例えば、工程順序を含んでもよい。第１の態様に関連する本開示のうちのいずれもまた、第２の態様に関連し、かつそれと互換性がある。
【００４６】
第３の態様において、本発明は、本明細書で上述した製品を製造するためのプロセスに関する。容器は、任意の好適な製造プロセスを使用して製造されてもよい。好ましい実施形態において、容器は、ブロー成形、圧密及び焼結、圧縮成形、発泡ビーズ成形、押出ブロー成形、フォーム成形、射出成形、射出／延伸ブロー成形、積層、反応射出成形、マッチドモールド、マトリクス成形、プラスチック成形、圧力プラグアシスト成形、回転成形（又はロトモールディング）、トランスファ成形、熱成形、真空成形、真空プラグアシスト成形から；代替的に押出プロセスから選択されるプロセスによって、代替的に連続的押出ブロー成形プロセスによって、製造される。第１及び第２の態様に関連する本開示のうちのいずれもまた、第３の態様に関連し、かつそれと互換性がある。
【００４７】
第４の態様において、本発明は、毛髪を染色及び／又は脱色するための方法に関する。該方法は、以下の工程を含む：
（ａ）ベースセクション、本体セクション、及びアパーチャを形成するネックセクションを含む、封止可能なプラスチック容器であって、前記セクションが、内リザーバを区切る、封止可能なプラスチック容器；容器のネックセクション上へ貼付される封止手段；容器のリザーバ内に含有される顕色剤構成要素を含む、第１の製品を提供する工程であって、リザーバが、保存時、リザーバの総体積の、約７０％以下の構成要素を含み、残りの体積が、気体で充填され、本体セクションが、４つのパネル付きであり、折り畳み不可能な押潰可能な前パネル、２つの対称的な折り畳み可能な側面パネル、及び折り畳み不可能な押潰可能な後パネルを含み、前及び／又は後パネルと側面パネルとの間の平均厚さの比率が、少なくとも２：１である、工程と、
（ｂ）少なくとも１つの１次前駆体を含む色調剤構成要素、少なくとも１つの２次前駆体を含む構成要素、又はこれらの組み合わせから選択される、パッケージ化された構成要素である、追加の製品を提供する工程と、
（ｃ）追加の製品を、第１の製品の容器のリザーバの残りの体積の中に注入する工程と、
（ｄ）顕色剤構成要素を、追加の製品と均質的に混合する工程と、
（ｅ）混合された組成物を毛髪上へ適用する工程。
【００４８】
第１、第２、及び第３の態様に関連する本開示のうちのいずれもまた、第４の態様に関連し、かつそれと互換性がある。
【実施例】
【００４９】
以下の実施例は、例示のためであり、特許請求の範囲を制限することを意図しない。
【００５０】
本発明に従う美容ケア製品は、商標名ＡＳ５５−００３の下でＥｘｘｏｎによって提供される商業的に入手可能な高密度ポリエチレン（ＨＤＰＥ）から開始し、押出ブロー成形プロセスを使用して得た。
【００５１】
得られた封止可能なプラスチック容器１（図１に示されるような容器）は、以下の特徴を呈する。
重量（非装飾）１２．０ｇ＋／−１．５ｇ
高さ（全体）：１１４．４５ｍｍ＋／−１．５２ｍｍ
幅（最大）：５１ｍｍ＋／−１．５２ｍｍ
深さ（最大）：４４．５ｍｍ＋／−０．４ｍｍ
オーバフロー容量（ＯＦＣ）：１６５ｍｌ＋／−５ｍｌ
側面パネル厚さ（平均）：０．３９ｍｍ
前パネル厚さ（平均）：１．０４ｍｍ
後パネル厚さ（平均）：１．０４ｍｍ
前及び後パネル間の壁厚さの相違（中心で測定）：０．０ｍｍ＋／−０．１ｍｍ
２つの対称的な側面パネル間の壁厚さの相違（中心で測定）：０．０ｍｍ＋／−０．１ｍｍ
前及び／又は後パネルと側面パネルとの間の平均厚さの比率：２，６７ｍｍ
内リザーバの総体積：１６５ｍｌ
Ｉ寸法（ネックセクションの内径）：１７．０２ｍｍ＋／−０．１２ｍｍ
Ｔ寸法（ネックセクションの外形）：２３．６６ｍｍ＋／−０．２ｍｍ
Ｈ寸法（ネックセクションの高さ）１２．３４ｍｍ＋／−０．４ｍｍ
【００５２】
封止手段は、容器のネックセクションのネジ山上へネジ止めされる非換気式クロージャである。
【００５３】
美容ケア構成要素は、毛髪染色及び／又は毛髪脱色の分野において従来使用される顕色剤構成要素である。この顕色剤は、Ｗｅｌｌｏｘｏｎ  ６％である。容器の中にパッケージ化される顕色剤の体積は、約６０ｍｌ、即ち、容器の内リザーバの総体積の約３６％である。したがって、製造の場において周囲空気で充填される残りの体積は、内リザーバの総体積の約６４％である。
【００５４】
美容ケア製品は、周囲温度が約２１℃〜約２６℃であり、大気圧が約８０ｋＰａ〜約８４ｋＰａである製造の場において製造される。
【００５５】
輸送及び／又は保存時に、周囲温度及び／又は大気圧のいくらかの変化にもかかわらず、容器は、前及び／又は後パネルに対する特定の平均厚さ比率を有する２つの対称的な折り畳み可能な側面パネルの存在により、ランダムな、制御されていない変形に対する満足のいく抵抗性を示す。
【００５６】
本明細書で開示される寸法及び値は、記載された正確な数値に厳密に限定されるものとして理解されるべきではない。代りに、別途指示がない限り、各かかる寸法は、記載された値及びその値の周辺の機能的に同等の範囲の両方を意味することが意図される。例えば、「４０ｍｍ」として開示される寸法は、「約４０ｍｍ」を意味することが意図される。
【図１】
2016525987.tif 000003
【図２】
2016525987.tif 000004
【図３】
2016525987.tif 000005
【図４】
2016525987.tif 000006
【図５】
2016525987.tif 000007
【国際調査報告】
2016525987.tif 000008
2016525987.tif 000009